【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
画像データの符号化／復号化を行う複数の符号変換部と、
前記複数の符号変換部のいずれかに画像データの符号変換を依頼する、前記符号変換部の数より多く、かつそれぞれのタスクに依存する優先度が予め設定されている、複数の依頼元タスクユニットと、
高い優先度を持つ依頼元タスクユニットからの処理依頼に対しては、前記複数の符号変換部の１つを割り当て、低い優先度を持つ依頼元タスクユニットからの処理依頼に対しては、前記複数の符号変換部に待機中の符号変換部があればその待機中の符号変換部を割り当てる割り当て部と
を備えることを特徴とする画像処理装置。
【請求項２】
前記高い優先度を持つ依頼元タスクユニットには１対１に前記符号変換部が対応しており、
前記割り当て部は、前記高い優先度を持つ依頼元タスクユニットからの前記処理依頼に従って、前記対応した符号変換部を必ず割り当てることを特徴とする請求項１に記載の画像処理装置。
【請求項３】
前記低い優先度を持つ依頼元タスクユニットには、それよりも少ない個数の符号変換部が対応しており、
前記割り当て部は、前記低い優先度を持つ依頼元タスクユニットからの前記処理依頼に対しては、待機中の符号変換部があればその待機中の符号変換部を割り当てることを特徴とする請求項１または２に記載の画像処理装置。
【請求項４】
前記複数の符号変換部は、ソフトウエアによって符号変換を実行するソフトウエア符号変換部とハードウエアによって符号変換を実行するハードウエア符号変換部とを含み、
前記割り当て部は、前記低い優先度を持つ依頼元タスクユニットからの前記処理依頼に対して、前記ソフトウエア符号変換部を割り当てることを特徴とする請求項３に記載の画像処理装置。
【請求項５】
前記高い優先度を持つ依頼元タスクユニットは、さらに、前記ソフトウエア符号変換部のみによって処理される第１のユニットグループと、前記ソフトウエア符号変換部を介し、前記ハードウエア符号変換部で処理される第２のユニットグループとに分類されており、
前記割り当て部は、前記優先度及び前記依頼元タスクユニットの分類に応じて、前記ソフトウエア符号変換部を割り当てることを特徴とする請求項４に記載の画像処理装置。
【請求項６】
前記ハードウエア符号変換部は、前記第２のユニットグループの依頼元タスクユニットによって共同で使用されるように構成されていることを特徴とする請求項５に記載の画像処理装置。
【請求項７】
画像データの符号化／復号化を行う複数の符号変換部と、前記複数の符号変換部のいずれかに画像データの符号変換を依頼する、前記符号変換部の数より多く、かつそれぞれのタスクに依存する優先度が予め設定されている複数の依頼元タスクユニットとを有する画像処理装置の制御方法であって、
高い優先度を持つ依頼元タスクユニットからの処理依頼に対して、前記複数の符号変換部の１つを割り当てる第１の割り当て工程と、
低い優先度を持つ依頼元タスクユニットからの処理依頼に対して、前記複数の符号変換部に待機中の符号変換部があればその待機中の符号変換部を割り当てる第２の割り当て工程と
を備えることを特徴とする画像処理装置の制御方法。
【請求項８】
前記高い優先度を持つ依頼元タスクユニットには１対１に前記符号変換部が対応しており、
前記第１の割り当て工程では、前記高い優先度を持つ依頼元タスクユニットからの前記処理依頼に従って、前記対応した符号変換部が必ず割り当てられることを特徴とする請求項７に記載の画像処理装置の制御方法。
【請求項９】
前記低い優先度を持つ依頼元タスクユニットには、それよりも少ない個数の符号変換部が対応しており、
前記第２の割り当て工程では、前記低い優先度を持つ依頼元タスクユニットからの前記処理依頼に対しては、待機中の符号変換部があればその待機中の符号変換部が割り当てられることを特徴とする請求項７または８に記載の画像処理装置の制御方法。
【請求項１０】
前記複数の符号変換部は、ソフトウエアによって符号変換を実行するソフトウエア符号変換部とハードウエアによって符号変換を実行するハードウエア符号変換部とを含み、
前記第２の割り当て工程では、前記低い優先度を持つ依頼元タスクユニットからの前記処理依頼に対して、前記ソフトウエア符号変換部が割り当てられることを特徴とする請求項９に記載の画像処理装置の制御方法。
【請求項１１】
前記高い優先度を持つ依頼元タスクユニットは、さらに、前記ソフトウエア符号変換部のみによって処理される第１のユニットグループと、前記ソフトウエア符号変換部を介し、前記ハードウエア符号変換部で処理される第２のユニットグループとに分類されており、
前記第２の割り当て工程では、前記優先度及び前記依頼元タスクユニットの分類に応じて、前記ソフトウエア符号変換部が割り当てられることを特徴とする請求項１０に記載の画像処理装置の制御方法。
【請求項１２】
前記ハードウエア符号変換部は、前記第２のユニットグループの依頼元タスクユニットによって共同で使用されるように構成されていることを特徴とする請求項１１に記載の画像処理装置の制御方法。
【請求項１３】
画像データの符号化／復号化を行う複数の符号変換部と、前記複数の符号変換部のいずれかに画像データの符号変換を依頼する、前記符号変換部の数より多く、かつそれぞれのタスクに依存する優先度が予め設定されている複数の依頼元タスクユニットとを有する画像処理装置を制御するためのプログラムであって、
高い優先度を持つ依頼元タスクユニットからの処理依頼に対して、前記複数の符号変換部の１つを割り当てる第１の割り当て工程のコードと、
低い優先度を持つ依頼元タスクユニットからの処理依頼に対して、前記複数の符号変換部に待機中の符号変換部があればその待機中の符号変換部を割り当てる第２の割り当て工程のコードと
を含むことを特徴とするプログラム。
【手続補正２】
【補正対象書類名】明細書
【補正対象項目名】００１３
【補正方法】変更
【補正の内容】
【００１３】
以上の課題を解決するために、本発明による画像処理装置は、画像データの符号化／復号化を行う複数の符号変換部と、前記複数の符号変換部のいずれかに画像データの符号変換を依頼する、前記符号変換部の数より多く、かつそれぞれのタスクに依存する優先度が予め設定されている、複数の依頼元タスクユニットと、高い優先度を持つ依頼元タスクユニットからの処理依頼に対しては、前記複数の符号変換部の１つを割り当て、低い優先度を持つ依頼元タスクユニットからの処理依頼に対しては、前記複数の符号変換部に待機中の符号変換部があればその待機中の符号変換部を割り当てる割り当て部とを備えることを特徴とする。
【手続補正３】
【補正対象書類名】明細書
【補正対象項目名】００１４
【補正方法】変更
【補正の内容】
【００１４】
また、本発明による画像処理装置の制御方法は、画像データの符号化／復号化を行う複数の符号変換部と、前記複数の符号変換部のいずれかに画像データの符号変換を依頼する、前記符号変換部の数より多く、かつそれぞれのタスクに依存する優先度が予め設定されている複数の依頼元タスクユニットとを有する画像処理装置の制御方法であって、高い優先度を持つ依頼元タスクユニットからの処理依頼に対して、前記複数の符号変換部の１つを割り当てる第１の割り当て工程と、低い優先度を持つ依頼元タスクユニットからの処理依頼に対して、前記複数の符号変換部に待機中の符号変換部があればその待機中の符号変換部を割り当てる第２の割り当て工程とを備えることを特徴とする。
なお、その他の本発明の特徴は、添付図面及び以下の発明を実施するための最良の形態の記載によっていっそう明らかになる。